(57)【要約】【課題】非接触電力伝送による充電状態を維持したまま、自端末を動かすことによる入力操作と同様の操作を可能とする。【解決手段】携帯情報端末（１）が動くことができないと判定したとき、動きと対応付けられた代替表示を表示入力部（１２）に表示させる代替表示処理部（２２）と、表示された代替表示が選択されたとき、該代替表示と対応付けられた動きに対応する内容の入力を受け付けるモーション処理部（２３）と、を備えている。【選択図】図１
2014052675.tif 000002
【特許請求の範囲】
【請求項１】
自端末の動きを検出して、検出した動きに対応する内容の入力を受け付ける携帯情報端末であって、
非接触電力伝送によって充電される電池部と、
上記電池部が充電中であるか否かを判定する充電中判定手段と、
上記充電中判定手段が充電中であると判定したとき、自端末は動くことができないと判定する動き可否判定手段と、
上記動き可否判定手段が、自端末が動くことができないと判定したとき、上記動きと対応付けられた代替表示を表示部に表示させる代替表示制御手段と、
上記代替表示制御手段によって表示された代替表示が選択されたとき、該代替表示と対応付けられた動きに対応する内容の入力を受け付ける入力受付手段と、を備えていることを特徴とする携帯情報端末。
【請求項２】
上記充電中判定手段が、充電が完了したと判定したとき、上記動き可否判定手段は、自端末は動くことができると判定することを特徴とする請求項１に記載の携帯情報端末。
【請求項３】
上記代替表示制御手段は、代替表示とともに、該代替表示と対応付けられた上記動きを示す情報を表示させることを特徴とする請求項１または２に記載の携帯情報端末。
【請求項４】
上記電池部の充電状態を検出する充電状態検出手段と、
上記充電状態検出手段が検出した充電状態から、上記電池部が満充電になるまでの残り時間を算出する残り時間算出手段と、
上記残り時間算出手段が算出した残り時間を上記表示部に表示させる表示制御手段と、を備えていることを特徴とする請求項１〜３のいずれか１項に記載の携帯情報端末。
【請求項５】
請求項１〜４のいずれか１項に記載の携帯情報端末を動作させる携帯情報端末制御プログラムであって、コンピュータを上記の各手段として機能させるための携帯情報端末制御プログラム。
【請求項６】
請求項５に記載の携帯情報端末制御プログラムを記録したコンピュータ読み取り可能な記録媒体。
【請求項７】
自端末の動きを検出して、検出した動きに対応する内容の入力を受け付ける携帯情報端末の制御方法であって、
上記携帯情報端末には、非接触電力伝送によって充電される電池部が備えられており、
上記電池部が充電中であるか否かを判定する充電中判定ステップと、
上記充電中判定ステップで充電中であると判定したとき、自端末は動くことができないと判定する動き可否判定ステップと、
上記動き可否判定ステップで、自端末が動くことができないと判定したとき、上記動きと対応付けられた代替表示を表示部に表示させる代替表示ステップと、
上記代替表示ステップで表示された代替表示が選択されたとき、該代替表示と対応付けられた動きに対応する内容の入力を受け付ける入力受付ステップと、を含むことを特徴とする携帯情報端末の制御方法。
【発明の詳細な説明】
【技術分野】
【０００１】
本発明は、自端末の動き、および向きを検出して自端末に対する入力操作とすることが可能な携帯情報端末、携帯情報端末の制御方法、携帯情報端末制御プログラムおよび該プログラムを記録したコンピュータ読み取り可能な記録媒体に関するものである。
【背景技術】
【０００２】
近年、携帯型の情報端末が急速に普及している。このような情報端末を使用するためには、充電することが必要となるが、充電する度に情報端末と充電器とを電気的に接続しなければならないのでは、煩わしい。
【０００３】
そこで、情報端末の充電器として、金属の接点を持たずに非接触で充電を行う非接触充電方式（非接触電力伝送による充電）が注目されている。非接触充電方式としては、電磁誘導方式と電界結合方式とが主に利用されている。電磁誘導方式とは、充電器に設けられた一次コイルと被充電機器である情報端末に設けられた二次コイルとを磁気的に結合し、電磁誘導により一次コイル側から二次コイル側に非接触で電力を伝送して、充電を行う方式である。
【０００４】
また、電界結合方式とは、送電側である充電器と受電側である情報端末とのそれぞれに電極を設け、両電極が近接したときに発生する「電界」を利用して電力を伝送する方式である。
【０００５】
また、充電中の機器における制御について、特許文献１に記載された技術がある。特許文献１には、充電中に信号を受信したときには、振動出力の設定の有無にかかわらず、振動を出力しないワイヤレス受信器が記載されている。
【０００６】
これにより、充電中に信号を受信して受信器が振動することにより不快音が立つことを防止したり、振動で受信器が充電用アダプターから外れたり、受信器が落下して破損してしまったりすることを防止している。
【先行技術文献】
【特許文献】
【０００７】
【特許文献１】特開２００１-１９７６４号公報（２００１年７月１９日公開）
【発明の概要】
【発明が解決しようとする課題】
【０００８】
携帯型情報端末の入力を、情報端末を回転させる、傾ける、振るなど情報端末自体を動かすことで行う方法がある。この方法は、情報端末に備えられたセンサーが、自端末の動きを検出し、検出した内容に応じた入力を行うものである。
【０００９】
しかしながら、上記非接触充電方式による充電時には、情報端末を充電器に載置していることが多く、充電した状態を維持したまま、情報端末を回転させる、振るなどさせることが困難である。
【００１０】
また、上記特許文献１に記載された方法は、充電中に振動出力をオフとするものであり、情報端末（被充電機器）を動かせる状態とすることはできない。
【００１１】
本発明は、上記の問題点に鑑みてなされたものであり、その目的は、非接触充電方式による充電状態を維持したまま、自端末を動かすことによる入力操作と同様の操作を可能とする携帯情報端末等を実現することにある。
【課題を解決するための手段】
【００１２】
上記課題を解決するために、本発明に係る携帯情報端末は、自端末の動きを検出して、検出した動きに対応する内容の入力を受け付ける携帯情報端末であって、非接触電力伝送によって充電される電池部と、上記電池部が充電中であるか否かを判定する充電中判定手段と、上記充電中判定手段が充電中であると判定したとき、自端末は動くことができないと判定する動き可否判定手段と、上記動き可否判定手段が、自端末が動くことができないと判定したとき、上記動きと対応付けられた代替表示を表示部に表示させる代替表示制御手段と、上記代替表示制御手段によって表示された代替表示が選択されたとき、該代替表示と対応付けられた動きに対応する内容の入力を受け付ける入力受付手段と、を備えていることを特徴としている。
【００１３】
また、本発明に係る携帯情報端末の制御方法は、自端末の動きを検出して、検出した動きに対応する内容の入力を受け付ける携帯情報端末の制御方法であって、上記携帯情報端末には、非接触電力伝送によって充電される電池部が備えられており、上記電池部が充電中であるか否かを判定する充電中判定ステップと、上記充電中判定ステップで充電中であると判定したとき、自端末は動くことができないと判定する動き可否判定ステップと、上記動き可否判定ステップで、自端末が動くことができないと判定したとき、上記動きと対応付けられた代替表示を表示部に表示させる代替表示ステップと、上記代替表示ステップで表示された代替表示が選択されたとき、該代替表示と対応付けられた動きに対応する内容の入力を受け付ける入力受付ステップと、を含むことを特徴としている。
【発明の効果】
【００１４】
以上のように、本発明に係る携帯情報端末は、非接触電力伝送によって充電される電池部と、上記電池部が充電中であるか否かを判定する充電中判定手段と、上記充電中判定手段が充電中であると判定したとき、自端末は動くことができないと判定する動き可否判定手段と、上記動き可否判定手段が、自端末が動くことができないと判定したとき、上記動きと対応付けられた代替表示を表示部に表示させる代替表示制御手段と、上記代替表示制御手段によって表示された代替表示が選択されたとき、該代替表示と対応付けられた動きに対応する内容の入力を受け付ける入力受付手段と、を備えている構成である。
【００１５】
また、本発明に係る携帯情報端末の制御方法は、電池部が充電中であるか否かを判定する充電中判定ステップと、上記充電中判定ステップで充電中であると判定したとき、自端末は動くことができないと判定する動き可否判定ステップと、上記動き可否判定ステップで、自端末が動くことができないと判定したとき、上記動きと対応付けられた代替表示を表示部に表示させる代替表示ステップと、上記代替表示ステップで表示された代替表示が選択されたとき、該代替表示と対応付けられた動きに対応する内容の入力を受け付ける入力受付ステップと、を含む方法である。
【００１６】
これにより、自端末を動かすことができない場合であっても、動きに対応付けられた代替表示を選択されることにより、動きを検出する場合と同様の入力を受け付けることができるという効果を奏する。
【００１７】
よって、例えば、非接触充電方式によって充電状態にある場合であっても、充電状態を維持したまま、自端末を動かすことによる入力操作と同様の操作を可能とすることができるという効果を奏する。
【図面の簡単な説明】
【００１８】
【図１】本発明の実施の形態を示すものであり、携帯情報端末の要部構成を示すブロック図である。
【図２】上記携帯情報端末が非接触充電器に載置されている状態を示す図である。
【図３】上記携帯情報端末において、自端末を回転させたときの画面状態を説明するための図であり、（ａ）は回転の様子を示す図であり、（ｂ）は回転前の画面例を示す図であり、（ｃ）は回転後の画面例を示す図である。
【図４】上記携帯情報端末が、充電中に代替表示を行う例を示す図であり、（ａ）は代替表示を示す図であり、（ｂ）は代替表示がされている画面例を示す図であり、（ｃ）は代替表示が選択された後の画面例を示す図である。
【図５】上記携帯情報端末における画面回転処理の流れを示すフローチャートである。
【図６】上記携帯情報端末における代替キー表示処理の流れを示すフローチャートである。
【図７】上記携帯情報端末における代替キー表示処理の流れを示すフローチャートである。
【図８】上記携帯情報端末において、代替キーを表示する例を示す図であり、（ａ）は代替キーが表示されていない状態を示す図であり、（ｂ）は代替キーが表示されている状態を示す図である。
【図９】上記携帯情報端末において、代替キー表示を行うか否かを選択させる画面例を示す図である。
【発明を実施するための形態】
【００１９】
〔概要〕
本発明の実施の一形態について図１〜図９に基づいて説明すれば、以下のとおりである。本実施の形態に係る携帯情報端末１は、自端末の動き（傾き、回転、加速度等）を検出し、検出した動きを入力操作として受け付け、動作を行うものである。
【００２０】
そして、携帯情報端末１は、表示部を備え、非接触電力伝送により充電（以降、非接触充電とも呼ぶ）可能な機器であり、非接触充電中は自端末の動きに対応する代替表示を表示部に表示するものである。
【００２１】
携帯情報端末１が非接触充電器２に載置されている状態を図２に示す。図２に示すように、非接触充電中は、携帯情報端末１を動かすことが困難である。よって、このままでは携帯情報端末１を動かすことによる入力操作を行うことができない。
【００２２】
しかしながら、本実施の形態に係る携帯情報端末１によれば、非接触充電中に代替表示を行うので、非接触充電中であっても、自端末を動かす場合と同様に入力操作を行うことができる。
【００２３】
なお、本発明は、表示部を備える電子機器全般に適用可能であり、例えば、携帯電話機、携帯型のパーソナルコンピュータ、ハンディーターミナルなどのような携帯型の電子機器に好適である。
【００２４】
〔携帯情報端末１の構成〕
次に、携帯情報端末１の要部構成について、図１を参照して説明する。図１は、携帯情報端末１の要部構成を示すブロック図である。図１に示すように、携帯情報端末１は、制御部１０、モーションセンサ部１１、表示入力部１２、非接触充電回路１３、充電池１４、記憶部１５、音声入出力部１６、操作部１７、および電源回路１８を含む構成である。
【００２５】
モーションセンサ部１１は、携帯情報端末１の傾き、加速度等を検出し、検出した結果をモーション判定部（後述する）２１に供給する。モーションセンサ部１１は、例えば、加速度センサー、ジャイロセンサー等により構成されている。
【００２６】
表示入力部１２は、情報の表示が可能なディスプレイと、そのディスプレイと一体となったタッチパネルにより構成されている。これにより、情報の表示と表示入力部１２に対する接触による入力が可能となる。ディスプレイは、例えばＬＣＤ（Liquid Crystal Display）、ＥＬ（Electro Luminescence）等で構成することができる。
【００２７】
非接触充電回路１３は、非接触充電器２から非接触電力伝送により電力が伝送される回路である。そして、伝送された電力を充電池１４に供給することにより充電池１４を充電する。充電池１４は、携帯情報端末１を動作させるための電力を供給する電池である。
【００２８】
記憶部１５は、携帯情報端末１を動作させるための各種プログラム、様々なアプリケーションプログラム等を格納している記憶部である。また、記憶部１５には、動きと代替表示とを対応させた代替表示テーブルが格納されている。代替表示の例としては、例えば、携帯情報端末１の上側を前方に倒す動きと表示入力部１２の上側に上向きの矢印を表示させることとが対応付けられていたり、携帯情報端末１を右側に９０度回転させる動きと直角な部分を有する矢印を表示入力部１２の左上に表示させることとが対応付けられたりしている。
【００２９】
音声入出力部１６は、音声の入力および出力を行うものであり、例えば、スピーカおよびマイクで構成されている。
【００３０】
操作部１７は、携帯情報端末１に対する操作を受け付けるものであり、例えば、電源ボタン等である。
【００３１】
電源回路１８は、充電池１４から供給された電力により携帯情報端末１を動作させるための回路である。
【００３２】
制御部１０は、代替表示処理等の各種処理を実行するものであり、モーション判定部２１、代替表示処理部２２、モーション処理部２３、充電検出部２４、および電池電圧検出部２５を含む構成である。
【００３３】
モーション判定部２１は、モーションセンサ部１１から供給された携帯情報端末１の動き（傾き、加速度）から、自端末に動き（モーション）があったか否か、および自端末の動きがモーション動作か否かを判定する。ここで、モーション動作とは、当該動作が行われると予め定められた入力操作として携帯情報端末１が動作するような動作である。モーション動作か否かは、自端末の動きが、モーション動作として予め設定されている動きと一致しているか否かによって判定する。そして、判定した結果を代替表示処理部２２およびモーション処理部２３に供給する。
【００３４】
代替表示処理部２２は、モーション判定部２１から供給されたモーション動作の有無と、充電検出部（後述する）２４から供給された非接触充電中か否かという情報から、代替表示を行うか否かを決定し、行う場合は、代替表示テーブルに基づいて表示入力部１２に代替表示を行う。
【００３５】
モーション処理部２３は、モーション判定部２１から供給されたモーション動作に基づいて、対応するモーション処理を実行する。
【００３６】
充電検出部２４は、非接触充電回路１３が非接触充電器２から電力伝送を受けているか否か検出することにより、携帯情報端末１が非接触充電中であることを検出する。
【００３７】
電池電圧検出部２５が、充電池１４の充電状態（充電度合、充電完了）を検出する。また、電池電圧検出部２５は、検出した充電池１４の充電状態から、充電池１４が満充電となるまでに必要な残り時間の算出や、検出した充電度合で可能な動作時間を算出し、表示入力部１２に表示させる。
【００３８】
〔非接触充電中における回転処理〕
〔概要〕
非接触充電中における回転処理の概要について、図３、４を参照して説明する。図３は、携帯情報端末１において、自端末を回転させたときの画面状態を説明するための図であり、（ａ）は回転の様子を示す図であり、（ｂ）は回転前の画面例を示す図であり、（ｃ）は回転後の画面例を示す図である。また、図４は、携帯情報端末１が、充電中に代替表示を行う例を示す図であり、（ａ）は代替表示を示す図であり、（ｂ）は代替表示がされている画面例を示す図であり、（ｃ）は代替表示が選択された後の画面例を示す図である。
【００３９】
図３に示すように、通常の場合では、携帯情報端末１を横に９０度回転させると、表示入力部１２の表示が、常にユーザに対し縦向きとなるように表示を９０度回転させる（図３（ｂ）→（ｃ））。
【００４０】
一方で、非接触充電中の場合は、携帯情報端末１を動かすことが困難であるであるので、図４に示すような代替キー３０（ａ、ｂ）を表示させる。図４（ｂ）に示すような状態で代替キー３０ａが選択されると、図４（ｃ）に示すように表示入力部１２における表示が９０度回転するとともに、代替キー３０ｂが表示される。また、代替キー３０ｂが選択されると、画面表示が、図４（ｃ）の状態から図４（ｂ）の状態となる。これにより、携帯情報端末１を回転させた場合と同様の動作を行うことができる。
【００４１】
〔処理の流れ〕
次に、代替キー３０を表示する処理の流れについて図５を参照して説明する。図５は、代替キー３０を表示する処理の流れを示すフローチャートである。
【００４２】
まず、モーション判定部２１は、携帯情報端末１においてモーションがあったか否かを判定する（Ｓ１）。モーションがなければ（Ｓ１でＮＯ）、代替表示処理部２２は、非接触充電中であることを充電検出部２４が検出しているか否かにより、携帯情報端末１が非接触充電中か否かを判定する（Ｓ８）。そして、非接触充電中であれば（Ｓ８でＹＥＳ）、代替表示処理部２２は代替キー３０（図４）を表示入力部１２に表示させる（Ｓ１０）。その後、モーション処理部２３、代替キー３０が選択されたことを検出すると（Ｓ１１でＹＥＳ）、代替キー３０と対応するモーション動作が行われた場合と同様の動作を行う（Ｓ７）。また、ステップＳ８で非接触充電中でなければ（Ｓ８でＮＯ）、ステップＳ５へ進む。
【００４３】
一方、携帯情報端末１において、モーションがあったとモーション判定部２１が判定した場合（Ｓ１でＹＥＳ）、モーション判定部２１は、所定時間経過後（Ｓ２でＹＥＳ）、再度、モーションがあるか否かを判定する（Ｓ３）。このように、携帯情報端末１の動きを２回、判定することにより、誤操作、誤検知を防ぐことができる。なお、ステップＳ２、Ｓ３は無くてもよい。
【００４４】
２回目の判定において、モーション判定部２１がモーション有りと判定した場合（Ｓ３でＹＥＳ）、代替表示処理部２２は、非接触充電中であることを充電検出部２４が検出しているか否かにより、携帯情報端末１が非接触充電中か否かを判定する（Ｓ４）。そして、非接触充電中であれば（Ｓ４でＹＥＳ）、モーション判定部２１は、携帯情報端末１の動きがモーション動作であるか否かを判定し（Ｓ６）、モーション動作であれば（Ｓ６でＹＥＳ）、モーション処理部２３はモーション動作に対応する処理を実行する（Ｓ７）。これにより、非接触充電中であっても、携帯情報端末１を動かすことが可能な場合は、モーション動作により携帯情報端末１を操作することができる。
【００４５】
また、ステップＳ４で非接触充電中ではなかった場合（Ｓ４でＮＯ）、代替表示処理部２２は代替キー３０を表示中か否か判定し（Ｓ５）、表示中であれば（Ｓ５でＹＥＳ）、代替キー３０を消去してステップＳ６に進む。
【００４６】
以上のように、本実施の形態によれば、携帯情報端末１を動かすことができない場合は、代替キー３０を表示することにより、モーション動作に対応する操作を行うことができるとともに、非接触充電中であってもモーション動作を行うことができる場合は、モーション動作に対応した動作を行うことができる。
【００４７】
〔非接触充電中における代替キー表示処理〕
次に、非接触充電中に、モーション動作による操作を行うアプリケーションを実行する場合の代替キー表示処理の流れについて、図６〜９を参照して説明する。図６、７は、代替キー表示処理の流れを示すフローチャートである。
【００４８】
まず、モーション判定部２１は、携帯情報端末１においてモーションがあるか否かを判定し（Ｓ２１）、モーションがなければ（Ｓ２１でＮＯ）、代替表示処理部２２は、非接触充電中であることを充電検出部２４が検出しているか否かにより、携帯情報端末１が非接触充電中か否かを判定する（Ｓ３０）。そして、非接触充電中であれば（Ｓ３０でＹＥＳ）、代替表示処理部２２は、携帯情報端末１が代替操作モードにあるか否かを判定する（Ｓ３１）。
【００４９】
ここで、代替操作モードとは、代替キー３１を表示して、代替キー３１による操作が可能なモードのことをいう。
【００５０】
そして、携帯情報端末１が代替操作モード中でなければ（Ｓ３１でＮＯ）、代替表示処理部２２は代替キー３１の説明表示を行う（Ｓ３２）。代替キー３１の説明表示とは、代替キー３１と当該代替キー３１が選択された場合の動作内容とを対応付けた説明の表示のことをいう。なお、代替キー３１の説明表示中は、実行中のアプリケーションの処理を停止させてもよい。
【００５１】
代替キー３１の説明表示後、代替キー３１による操作を行うか否かの選択画面を表示し（Ｓ３３、図９）、代替キー３１による操作を行うことが選択されると（Ｓ３３でＹＥＳ）、携帯情報端末１は、代替操作モードとなり（Ｓ３４）、代替表示処理部２２は、代替キー３０の説明表示を消去して（Ｓ３５）、代替キー３０を表示する（Ｓ３６）。そして、代替キー３１が選択されると（Ｓ３７でＹＥＳ）、モーション処理部２３は、選択された代替キー３１に対応するモーション動作が行われた場合と同様の処理を行う（Ｓ２９）。
【００５２】
ここで、代替キー３１が表示される例について、図８を参照して説明する。図８（ａ）は代替キー３１が表示されていない場合のアプリケーションの１画面例であり、図８（ｂ）は代替キー３１が表示されている場合のアプリケーションの１画面例である。図８（ｂ）に示すように、ここでは、代替キー３１ａが表示入力部１２の上に、代替キー３１ｂが表示入力部１２の左に、代替キー３１ｃが表示入力部１２の下に、代替キー３１ｄが表示入力部１２の右に表示されている。そして、例えば、代替キー３１ａが選択されると、携帯情報端末１の上側が奥に倒されるようなモーション動作が行われた場合と同様の処理が実行される。また、代替キー３１ｂが選択された場合は、携帯情報端末１が左回転するようなモーション動作が行われた場合と同様の処理が実行される。また、代替キー３１ｃが選択された場合は、携帯情報端末１の下側が奥に倒されるようなモーション動作が行われた場合の同様の処理が実行される。また、代替キー３１ｄが選択された場合は、携帯情報端末１が右回転するようなモーション動作が行われた場合と同様の処理が実行される。
【００５３】
一方、ステップＳ３０で非接触充電中でなかった場合は（Ｓ３０でＮＯ）、ステップＳ２６に進む。また、ステップＳ３１で代替操作モード中であった場合は（Ｓ３１で３ＹＥＳ）、ステップＳ３７に進む。また、ステップＳ３３で代替キー３１による操作を選択しなかった場合は（Ｓ３３でＮＯ）、代替キー非表示処理に進む（Ｓ３８）。代替キー非表示処理については後述する。
【００５４】
また、ステップＳ２１でモーション判定部２１がモーションがあったと判定した場合（Ｓ２１でＹＥＳ）、モーション判定部２１は、所定時間経過後（Ｓ２２でＹＥＳ）、再度、モーションがあるか否かを判定する（Ｓ２３）。なお、ステップＳ２２、Ｓ２３は無くてもよい。
【００５５】
２回目の判定において、モーション判定部２１がモーション有りと判定した場合（Ｓ２３でＹＥＳ）、代替表示処理部２２は、携帯情報端末１が代替操作モード中か否かを判定する（Ｓ２４）。そして、代替操作モード中であれば（Ｓ２４でＹＥＳ）、ステップＳ３７へ進む。一方、代替操作モード中でなければ（Ｓ２４でＮＯ）、代替表示処理部２２は、非接触充電中であることを充電検出部２４が検出しているか否かにより、携帯情報端末１が非接触充電中か否かを判定する（Ｓ２５）。そして、非接触充電中であれば（Ｓ２５でＹＥＳ）、ステップＳ３２へ進む。
【００５６】
一方、非接触充電中でなければ（Ｓ２５でＮＯ）、非接触充電器２は代替キー３１の表示がされているか判定し（Ｓ２６）、代替キー３１が表示されていれば（Ｓ２６でＹＥＳ）、代替キー３１を消去する（Ｓ２７）。そして、モーション判定部２１がモーション動作を検出すると（Ｓ２８でＹＥＳ）、モーション処理部２３はモーション動作に対応する処理を実行する（Ｓ２９）。また、ステップＳ２６で、代替キー３１が表示されていなければ（Ｓ２６でＮＯ）、そのままステップＳ２８へ進む。
【００５７】
次に、ステップＳ３８の代替キー非表示処理の流れについて、図７を参照して説明する。
【００５８】
図７に示すように、代替キー非表示処理では、まず、電池電圧検出部２５が充電池１４の充電状態を検出し、充電池１４が満充電になるために必要な残り時間（要充電時間）、および現在の充電状態で動作可能時間を算出して表示入力部１２に表示させる（Ｓ５０）。その後、充電池１４の充電が完了すると（Ｓ５１でＹＥＳ）、代替表示処理部２２は代替操作モードを解除し（Ｓ５３）、代替キー３１の説明表示を消去して（Ｓ５４）、電池電圧検出部２５は、要充電時間および動作可能時間の表示を消去する（Ｓ５５）。また、ステップＳ５１で、充電が完了していなければ（Ｓ５１でＮＯ）、携帯情報端末１が充電中か否かを判定して（Ｓ５２）、非接触充電中であれば（Ｓ５２でＹＥＳ）、ステップＳ３３へ進む。また、非接触充電中でなければ（Ｓ５２でＮＯ）、そのままステップＳ５３へ進む。
【００５９】
以上のように、非接触充電中に、モーション動作に用いるアプリケーションを実行している場合でも、代替キー３１を表示させることにより、モーション動作と同様の操作を行うことが可能となる。
【００６０】
なお、図５のステップＳ４、Ｓ８、図６のステップＳ２５、Ｓ３０、図７のステップＳ５２における充電中か否かを判定する処理は、単に充電中か否かではなく、充電度合が所定値を超えているか否かを判定するものであってもよい。すなわち、充電度合が所定値以下の場合は、充電中と判定し、充電度合が所定値を超えている場合は、充電中でないと判定する。
【００６１】
例えば、所定値を充電度合が５０％とすると、電池電圧検出部２５が検出した充電池１４の充電度合が５０％を超えている場合は、充電中でないと判定した処理に進み、５０％以下の場合は、充電中であると判定した処理に進む。
【００６２】
これにより、充電度合が１００％となっていない場合でも、必要な処理を可能とすることができ、電池の残容量に応じて、適切な制御を行うことが可能となる。
【００６３】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６４】
最後に、携帯情報端末１の各ブロック、特に制御部１０（モーション判定部２１、代替表示処理部２２、モーション処理部２３、充電検出部２４、電池電圧検出部２５）は、集積回路（ＩＣチップ）上に形成された論理回路によってハードウェア的に実現していてもよいし、ＣＰＵ（central processing unit）を用いてソフトウェア的に実現してもよい。
【００６５】
後者の場合、携帯情報端末１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯情報端末１の制御プログラムのプログラムコード（実行形式プログラム、中間コードプログラム、ソースプログラム）をコンピュータで読み取り可能に記録した記録媒体を、上記携帯情報端末１に供給し、そのコンピュータ（またはＣＰＵやＭＰＵ（micro processing unit））が記録媒体に記録されているプログラムコードを読み出し実行することによっても、達成可能である。
【００６６】
上記記録媒体としては、例えば、磁気テープやカセットテープ等のテープ類、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（erasable programmable read-only memory）／ＥＥＰＲＯＭ（登録商標）（electrically erasable and programmable read-only memory）／フラッシュＲＯＭ等の半導体メモリ類、あるいはＰＬＤ（Programmable logic device）やＦＰＧＡ（Field Programmable Gate Array）等の論理回路類などを用いることができる。
【００６７】
また、携帯情報端末１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、ＩＥＥＥ８０２．１１無線、ＨＤＲ（high data rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６８】
〔まとめ〕
上記課題を解決するために、本発明に係る携帯情報端末は、自端末の動きを検出して、検出した動きに対応する内容の入力を受け付ける携帯情報端末であって、非接触電力伝送によって充電される電池部と、上記電池部が充電中であるか否かを判定する充電中判定手段と、上記充電中判定手段が充電中であると判定したとき、自端末は動くことができないと判定する動き可否判定手段と、上記動き可否判定手段が、自端末が動くことができないと判定したとき、上記動きと対応付けられた代替表示を表示部に表示させる代替表示制御手段と、上記代替表示制御手段によって表示された代替表示が選択されたとき、該代替表示と対応付けられた動きに対応する内容の入力を受け付ける入力受付手段と、を備えていることを特徴としている。
【００６９】
また、本発明に係る携帯情報端末の制御方法は、自端末の動きを検出して、検出した動きに対応する内容の入力を受け付ける携帯情報端末の制御方法であって、上記携帯情報端末には、非接触電力伝送によって充電される電池部が備えられており、上記電池部が充電中であるか否かを判定する充電中判定ステップと、上記充電中判定ステップで充電中であると判定したとき、自端末は動くことができないと判定する動き可否判定ステップと、上記動き可否判定ステップで、自端末が動くことができないと判定したとき、上記動きと対応付けられた代替表示を表示部に表示させる代替表示ステップと、上記代替表示ステップで表示された代替表示が選択されたとき、該代替表示と対応付けられた動きに対応する内容の入力を受け付ける入力受付ステップと、を含むことを特徴としている。
【００７０】
上記の構成または方法によれば、非接触電力伝送によって電池部が充電中か否かを判定することにより、自端末が動くことが可能か否かを判定し、自端末が動くことができない場合、動きと対応付けられた代替表示を行い、代替表示が選択されると、対応付けられた動きに対応する内容の入力を受け付ける。
【００７１】
これにより、自端末を動かすことができない場合であっても、動きに対応付けられた代替表示を選択されることにより、動きを検出する場合と同様の入力を受け付けることができる。
【００７２】
よって、非接触充電方式によって充電状態にある場合であっても、充電状態を維持したまま、自端末を動かすことによる入力操作と同様の操作を可能とすることができる。
【００７３】
本発明に係る携帯情報端末では、上記充電中判定手段が、充電が完了したと判定したとき、上記動き可否判定手段は、自端末は動くことができると判定するものであってもよい。
【００７４】
上記の構成によれば、充電完了後は、自端末が動くことが可能と判定するので、充電完了後も代替表示をし続けるということを防止することができる。
【００７５】
本発明に係る携帯情報端末では、上記代替表示制御手段は、代替表示とともに、該代替表示と対応付けられた上記動きを示す情報を表示させるものであってもよい。
【００７６】
上記の構成によれば、代替表示と対応する動きを示す情報を表示するので、当該代替表示を選択すると、どのような動作が行われるのかをユーザに明確かつ容易に認識させることができる。
【００７７】
本発明に係る携帯情報端末では、上記電池部の充電状態を検出する充電状態検出手段と、上記充電状態検出手段が検出した充電状態から、上記電池部が満充電になるまでの残り時間を算出する残り時間算出手段と、上記残り時間算出手段が算出した残り時間を上記表示部に表示させる表示制御手段と、を備えているものであってもよい。
【００７８】
上記の構成によれば、満充電になるまでに必要な残り時間が表示されるので、ユーザに対し満充電までの時間を認識させることができる。
【００７９】
なお、上記携帯情報端末は、コンピュータによって実現してもよく、この場合には、コンピュータを上記各手段として動作させることにより上記携帯情報端末をコンピュータにて実現させる携帯情報端末の制御プログラム、およびそれを記録したコンピュータ読み取り可能な記録媒体も、本発明の範疇に入る。
【産業上の利用可能性】
【００８０】
自端末そのものを動かすことにより操作を行う機器において、当該機器を動かすことが困難な状態にある場合でも、動きに対応した操作入力を行うことができるので、例えば、機器自体を動かすことによって操作するアプリケーションがインストールされている携帯機器等に好適である。
【符号の説明】
【００８１】
１    携帯情報端末
２    非接触充電器
１０    制御部
１１    モーションセンサ部
１２    表示入力部
１３    非接触充電回路
１４    充電池
１５    記憶部
１６    音声入出力部
１７    操作部
１８    電源回路
２１    モーション判定部
２２    代替表示処理部（動き可否判定手段、代替表示制御手段）
２３    モーション処理部（入力受付手段）
２４    充電検出部（充電中判定手段、充電状態検出手段）
２５    電池電圧検出部（表示制御手段）
【図１】
2014052675.tif 000003
【図２】
2014052675.tif 000004
【図３】
2014052675.tif 000005
【図４】
2014052675.tif 000006
【図５】
2014052675.tif 000007
【図６】
2014052675.tif 000008
【図７】
2014052675.tif 000009
【図８】
2014052675.tif 000010
【図９】
2014052675.tif 000011